(57)【要約】      （修正有）【課題】ゴミ容器の内部に袋をずれ落ち難く開口保持し、使用する袋の大きさと形状の制限を少なくし、袋を取り替える操作性を悪化させずに袋及び袋を留めるための部品、部位を外部から隠蔽してゴミ容器の外観を美しくする。【解決手段】ゴミ容器１の蓋４に備えた箍７または枠をゴミ容器１の上部の壁の内周面に有する突縁２の上面に載置した様態でゴミ容器１の上方から蓋４の裏側に有するゴミ容器１に嵌合するための突縁５をゴミ容器１に嵌合することで箍７または枠が袋３の周縁部を突縁５に箍締めし、蓋４を袋３と共にゴミ容器１の上方に取り出し袋３の周縁部をゴミ容器１の内部に入れつつ再度蓋４をゴミ容器１に被せることで箍７または枠と共に袋３をゴミ容器１の内部に隠蔽して袋３を開口保持できる。また、袋３は蓋４と共にゴミ容器１の上方に取り出し蓋４から取り外すことができる。【選択図】図１
2014122116.tif 000002
【特許請求の範囲】
【請求項１】
ゴミ容器の蓋の裏側にゴミ容器に嵌合するための突縁を有し、前記蓋の裏側の突縁の内側にゴミ投入口を有する前記蓋の裏側の突縁に嵌め込まれ袋の周縁部を箍（タガ）締めするための細長いプレートをリングにした形状の可撓性材質の箍を備えることを特徴とするゴミ容器の蓋。
【請求項２】
前記蓋の裏側の突縁の外側に配置される前記箍の代りに前記蓋の裏側の突縁の内側に配置される枠を備え、前記枠は前記蓋の裏側の突縁の内周面と前記枠の外周面の間に前記袋の周縁部を嵌め込み箍締めするための枠であることを特徴とするゴミ容器の蓋。
【請求項３】
前記ゴミ容器は上部の壁内周面に突縁を有し前記ゴミ容器の蓋を前記ゴミ容器に被せて前記蓋の裏側の突縁と前記ゴミ容器の突縁に載置した前記箍または前記枠の間に前記袋の周縁部を嵌め込み箍締めするために前記ゴミ容器の蓋を前記ゴミ容器に被せた状態で前記ゴミ容器の突縁の上面から前記蓋の裏面までの高さが前記ゴミ容器の蓋の裏側の突縁の高さが収まり略同一の高さであり、なおかつ、前記箍の高さが収まり略同一の高さである
または、前記枠の高さが収まり略同一の高さであることを特徴として、なおかつ請求項１または請求項２に記載の前記ゴミ容器の蓋を備えることを特徴とするゴミ容器。
【発明の詳細な説明】
【技術分野】
【０００１】
スーパーマーケット等で買物をした時に支給されるポリエチレン袋またはビニール袋（以下略称して「袋」と記す）をゴミ容器に使用する場合に、袋に持ち手があったり再利用のためにしわがあったりする状況があるが袋と袋の保持具をゴミ容器とゴミ容器の蓋の外部から隠蔽して袋をゴミ容器内にしっかりと開口保持する技術である。
【背景技術】
【０００２】
袋の周縁部を枠に折り返して掛け、袋を開口保持した状態でゴミ容器の上部の周縁部に載置する技術があるが留め方が不充分で枠または袋がずれ落ちる心配がある。また、ゴミ容器の上部の周縁部に載置した枠に掛けた袋または枠などの開口保持具が外部から見えて外観が見苦しい。
【先行技術文献】
【特許文献】
【０００３】
【特許文献１】実開平06-053503
【特許文献２】実登3027626
【特許文献３】特開平09-156705
【発明の概要】
【発明が解決しようとする課題】
【０００４】
スーパーストア等で買物をした時に支給される袋をゴミ容器に利用するために、袋の周縁部を枠またはリングなどに折り返して掛けてゴミ容器の上部の周縁部に開口保持する形態の場合は枠またはリングに対する袋の折り曲げによる摩擦抵抗力を期待する留め方のために留め方が不充分で袋がずれ落ちる。また、ゴミ容器と枠またはリングとの留め方が不充分で枠またはリングが折り返して掛けた袋と共にずれる。
【０００５】
ゴミ容器に袋を開口保持した状態で袋または袋を留めるための装置の部品、部位が外部から見えて外観が見苦しい。また、袋を隠蔽するためのカバーなどをゴミ容器の周縁部に載置しているだけの場合にゴミ容器からずれて袋が見えて外観が見苦しくなる。
【０００６】
ゴミ容器に掛けた開口保持具が移動してゴミ容器と袋の間に隙間を生じ易くゴミ容器と袋の間にゴミが入りゴミ容器を汚して不快であり不衛生である。
【０００７】
袋の開口保持具である枠またはリングなどに袋の周縁部を折り返して掛ける場合は片手で枠を持ち反対の手で袋を折り返して掛けることになるが度々枠と袋を持ち替える頼りない作業になりきれいに取り付けることが難しく袋取り替えの操作性が良くない。
【課題を解決するための手段】
【０００８】
細長いプレートをリングにした形状の可撓性材質の箍（タガ）７で蓋４の裏側のゴミ容器１に嵌合するための突縁５の外周面に袋３の周縁部を箍７で箍締めすることまたは枠９の外周面に袋３の周縁部を突縁５で箍締めすることで、袋３を蓋４にしっかりと開口保持して、ゴミ容器１に蓋４を装着したときに袋３をゴミ容器１に開口保持することを特徴とする。
【０００９】
ゴミ容器１に蓋４を装着した状態で、ゴミ容器１の上部の壁内周面の突縁２の上面から前記蓋４の裏面までの高さは蓋４の裏側の突縁５及び箍７または蓋４の裏側の突縁５及び枠９が収まる高さでありなおかつ略同一であり、袋３が蓋４の突縁５に箍締めされ
箍７または枠９で開口保持された蓋４をゴミ容器１に装着した場合に袋３と袋３の開口保持具である箍７または枠９がゴミ容器１の外部から隠蔽されることを特徴とする。
【００１０】
蓋４が箍７の代りに蓋４の裏側の突縁５の内側に配置される枠９を備える場合は、枠９の外周面と突縁５の内周面の間に袋３の周縁部を嵌め込み箍締めした袋３と共に袋３の周縁部をゴミ容器１の上方からゴミ容器１の内部に入れつつ蓋４をゴミ容器１に装着するときに袋３は突縁５の内側にあり袋３の周縁部がゴミ容器１の周縁に当って捲れ上がることを抑えるために、袋３をゴミ容器１の外部から隠蔽して蓋４を装着することが容易になることを特徴とする。
【００１１】
ゴミ容器１の上部の壁内周面に突縁２を有し、蓋４の裏側の突縁５の外周面をゴミ容器１の上部の周縁の内面に合わせて嵌合した場合にゴミ容器１の突縁２の上面から前記蓋４の裏面までの高さは蓋４の裏側の突縁５と箍７または蓋４の裏側の突縁５と枠９が収まる高さでありなおかつ略同一にすることによってゴミ容器１の上方から蓋４の裏面をゴミ容器１の周縁の上端に当るまで押し下げて箍７または枠９が袋３の周縁部を突縁５の間に嵌め込み箍締めできることを特徴とする。
【発明の効果】
【００１２】
箍７で蓋４の裏側のゴミ容器１に嵌合するための突縁５の外周面に袋３の周縁部を箍締めすることまたは枠９の外周面に袋３の周縁部を突縁５で箍締めすることによって、蓋４をゴミ容器１に装着したときに袋３をゴミ容器１の内部にしっかりと開口保持できる。
【００１３】
蓋４の裏側の突縁５と箍７または枠９の間に袋３を箍締めした蓋４をゴミ容器１に装着して袋３をゴミ容器１の内部に開口保持した場合に袋３及び箍７または枠９などの袋の開口保持具がゴミ容器１の外部から隠蔽されて外観がすっきりと美しい。
【００１４】
蓋４の裏側の突縁５の内側の枠９に袋３を箍締めした蓋４をゴミ容器１に装着する場合は袋３の周縁部は突縁５の内側にあり蓋４を袋３と袋３の周縁部と共にゴミ容器１の上方からゴミ容器１の内部に入れつつ蓋４をゴミ容器１に装着するときに袋３の周縁部がゴミ容器１の周縁に当って捲れ上がることを抑えるために袋３をゴミ容器１の外部から隠蔽して蓋４をゴミ容器１に容易に装着できる。
【００１５】
ゴミ容器１の突縁２の上面に載置した箍７または枠９とゴミ容器１の周縁に渡ってゴミ容器１の外部側に向けた袋３の周縁部を折り返して掛けた箍７または枠９に向けて蓋４を蓋４の裏面がゴミ容器１の周縁の上端に当るまで押し下げることによって袋３の周縁部を突縁５と箍７または枠９の間に容易に嵌め込み箍締めすることができる。また、袋３が箍締めによりしっかりと蓋４側に取り付いており蓋４と共に袋３をゴミ容器１の外部でハンドリングできるのでこの状態から蓋４を袋３と袋３の周縁部を共にゴミ容器１の上方に取り出すことができ、蓋４を袋３と袋３の周縁部を共にゴミ容器１の内部に入れつつ再びゴミ容器１に被せることで袋３の周縁部と共に袋３をゴミ容器１の内部に隠蔽した状態で容易に開口保持できる。更に袋３にゴミを入れたまま蓋４と共に袋３をゴミ容器１の上方に取り出すことができ、ゴミ容器１の外部で蓋４から袋３を取り外すことができる。
【００１６】
本発明によればゴミ容器１の突縁２の上面に載置して袋３の周縁部を折り返して掛けた箍７または枠９の上方から突縁５を有する蓋４の裏面をゴミ容器１の周縁の上端に当るまで押し下げることによって袋３の周縁部を突縁５と箍７または枠９の間に嵌め込み箍締めすることができ、一度ゴミ容器１の上方に取り出した蓋４を袋３と袋３の周縁部を共にゴミ容器１の内部に入れつつ再びゴミ容器１に被せることで袋３をゴミ
容器１の内部に開口保持でき、袋３の中のゴミを回収する場合はゴミ容器１に装着した蓋４を袋３と共にゴミ容器１の上方に取り出す行為で蓋４と共に袋３をゴミ容器１の外に取り出し蓋４から袋３を取り外し袋３の中のゴミを回収することができる。詰まる所、ゴミ容器１に蓋４を装着する行為が袋３を蓋４に装着する行為であり、ゴミ容器１に装着した蓋４を取り外す行為が袋３を取り出す行為となり、袋３の着脱の大方の行為をゴミ容器１に蓋４を着脱する必然の行為の中で行える。
【００１７】
袋３と蓋４をゴミ容器１に装着した状態では、袋３の周縁部は箍７または枠９で蓋４の裏側の突縁５に箍締めしてあり袋３と突縁５の間に隙間は無く袋３の内部側から袋３とゴミ容器１の間にゴミが入らないためにゴミ容器１の内側を汚すことがなくゴミ容器１の清掃を楽にするとともに衛生的に管理できる。また、実施例４に記載の通りゴミ容器１は袋取り付け専用のゴミ容器としてゴミ容器１の側面に透かし彫りを施すことがあり、ゴミがゴミ容器１の外に漏れ出さず衛生的であり、意匠性に優れなおかつ袋取り換えが容易であるなどの特性があり、愛犬に悪戯されることがない卓上用のゴミ容器などに適する。
【００１８】
袋３の周縁部の持ち手、紐及びファスナーなどは形状に関わらず箍７または枠９に折り返して掛けた袋３の外部側とゴミ容器１の内壁の間に収まり、ゴミ容器１の外部から隠蔽される。また、袋３の開口の周長が蓋４の裏側の突縁５の外周長以上の袋がゴミ容器１に開口保持できる。
【図面の簡単な説明】
【００１９】
【図１】実施例１の実施形態を示す断面図である。
【図２】実施例１の実施形態を示す蓋４の裏面方向のＡ−Ａ断面図である。
【図３】実施例１の実施形態の各部品の装着順を示す部品図であり、（ｂ）は各部品の斜視図であり、（ａ）、（ｃ）は各部品の一方側及び他方側の各断面図である。
【図４】実施例１の実施形態を示す装着接続部分拡大断面図である。
【図５】実施例２の実施形態を示す装着接続部分拡大断面図である。
【図６】実施例３の実施形態を示す装着接続部分拡大断面図である。
【図７】実施例４の実施形態の各部品の装着順を示す各部品の斜視図である。
【図８】実施例４の実施形態を示す装着接続部分拡大断面図である。
【発明を実施するための形態】
【００２０】
以下、本発明の具体的な実施形態について、実施例の図面を参照して説明する。
【実施例１】
【００２１】
本発明の実施例１の実施形態は、図１、図２、図３、図４の各図が示すように蓋４の裏側にゴミ容器１に嵌合するための突縁５を有し、蓋４の中央部にゴミ投入口６を有する蓋４があり、袋３を蓋４の裏側の突縁５の外周面に箍締めして袋３を開口保持するために、細長いプレートをリングにした形状で、なおかつ取り扱い易い剛性と箍締めに必要な弾性を併せ持っている可撓性材質の箍７を備え、ゴミ容器１の上部の壁内周面には突縁２を有する。
また、図３の（ｂ）は各部品の斜視図であり、図３の（ａ）、（ｃ）は（ｂ）が示す各部品に相対する部位の一方側及び他方側の各断面図であり、蓋４、リング８、袋３、箍７とゴミ容器１の各部品は図３の矢印が示す順に組み合う。
【００２２】
図１、図２、図３、図４の各図が示すように袋３の周縁部を蓋４の裏側の突縁５の外周面に箍締めした袋３を袋３の周縁部と共にゴミ容器１の内部に入れつつゴミ容器１の上方から蓋４をゴミ容器１に装着する場合に箍７に折り返して掛けた袋３の外周に嵌められることによって袋３の周縁部の捲れ上がりを押さえるための細長いプレートをリングにした形状のリング８を備える。
【００２３】
図４が示すように、袋３と蓋４をゴミ容器１に装着した状態の場合に、ゴミ容器１の突縁２の上面と蓋４の裏側の突縁５の外周面と蓋４の裏面に囲まれる空間は、箍７と袋３の周縁部の箍７に折り返して掛けた部分と袋３の外周に掛けたリング８が収まる大きさであり、なおかつ突縁２の上面から蓋４の裏面までの高さと箍７の幅が略同一である。
【００２４】
本発明の実施例１の袋３をゴミ容器１に装着する手順は、箍７をゴミ容器１の突縁２の上面に載置して、箍７の上部とゴミ容器１の上部の周縁に渡って袋３の周縁部をゴミ容器１の外側にして折り返して掛けてから、リング８をゴミ容器１の上部の周縁の内側と箍７の間にゴミ容器１の上方から押し下げて嵌め込んだ後に、蓋４の裏側の突縁５の外周面を袋３の周縁部を折り返して掛けた箍７の内周面に合わせて、袋３を蓋４の裏側の突縁５の外周面と箍７に嵌め込みつつゴミ容器１の上方から蓋４の裏面がゴミ容器１の周縁の上端に当るまで蓋４を押し下げて、蓋４の裏側の突縁５の外周面に箍７で袋３を箍締めする。詰まりこの場合にゴミ容器１の突縁２から生じる反力が箍７を押し上げ、蓋４の裏側の突縁５の外周面に箍７で袋３を箍締めする。また、蓋４の裏側の突縁５または箍７の内側の下方端部はお互いが嵌め込み易くなるように接触し合う角部を面取りすることがある。
【００２５】
前記手順に続いて、袋３の周縁部が蓋４とゴミ容器１の合わせ目から外部に出ている状態で蓋４を袋３と箍７とリング８と共にゴミ容器１の上方に取り出し、袋３を袋３の周縁部と共にゴミ容器１の内部に入れつつ再度ゴミ容器１の上方から蓋４をゴミ容器１に装着することによって袋３と箍７をゴミ容器１と蓋４の内側に収めゴミ容器１の外部から隠蔽した状態で蓋４に箍締めした袋３をゴミ容器１に開口保持できる。
また、このとき蓋４を袋３と共にゴミ容器１の上方に外す前にリング８を袋３の外側に嵌めて袋の広がりを抑えることによって、袋３を袋３の周縁部と共にゴミ容器１の内部に入れることと、再度ゴミ容器１の上方から蓋４をゴミ容器１に装着することを容易にして、袋３の周縁部をゴミ容器１と蓋４の合わせ目の内側に上手に隠すことができる。
【００２６】
本発明の実施例１の袋３をゴミ容器１から取り外す手順は、蓋４の裏側の突縁５の外周面に箍締めしてある袋３を付けたまま蓋４をゴミ容器１から上方に取り出し、ゴミ容器１の外部で蓋４の裏側の突縁５の外周面から箍７と共に袋３とリング８を取り外し、箍７から袋３を取り外す。
【実施例２】
【００２７】
本発明の実施例２の実施形態は実施例１に記載の実施形態に対して、リング８を備えない実施形態であり、実施例２の蓋４、袋３、箍７とゴミ容器１は図３の中に図示する順で組み合う。また、図５は実施例２の実施形態を示す装着接続部分拡大断面図である。
【００２８】
図５が示すように、袋３と蓋４をゴミ容器１に装着した状態の場合に、ゴミ容器１の突縁２の上面と蓋４の裏側の突縁５の外周面と蓋４の裏面に囲まれる空間は、箍７と袋３の周縁部の箍７に折り返して掛けた部分が収まる大きさであり、なおかつ突縁２の上面から蓋４の裏面までの高さと箍７の幅が略同一である。
【００２９】
本発明の実施例２の袋３をゴミ容器１に装着する手順は、箍７をゴミ容器１の突縁２の上面に載置して、箍７の上部とゴミ容器１の上部の周縁に渡って袋３の周縁部をゴミ容器１の外側にして折り返して掛けた後に、蓋４の裏側の突縁５の外周面を袋３の周縁部を折り返して掛けた箍７の内周面に合わせて、袋３を蓋４の裏側の突縁５の外周面と箍７の内周面に嵌め込みつつゴミ容器１の上方から蓋４の裏面がゴミ容器１の周縁の上端に当るまで押し下げて蓋４の裏側の突縁５の外周面に袋３を箍締めする。
【００３０】
前記手順に続いて、箍７で袋３を蓋４の裏側の突縁５に箍締めした蓋４とゴミ容器１の合わせ目から外部に袋３の周縁部が出ている状態で、蓋４を袋３と箍７と共にゴミ容器１の上方に外し、袋３を袋３の周縁部と共にゴミ容器１の内部に入れつつ再度ゴミ容器１の上方から蓋４をゴミ容器１に装着することによって、袋３と箍７をゴミ容器１の外部から隠蔽し、蓋４に箍締めした袋３を開口保持してゴミ容器１に装着することができる。
【００３１】
本発明の実施例２の袋３をゴミ容器１から取り外す手順は蓋４の裏側の突縁５の外周面に箍締めされてある袋３を付けたまま蓋４をゴミ容器１から上方に取り出しゴミ容器１の外部で蓋４の裏側の突縁５の外周面から箍７を袋３と共に取り外し箍７から袋３を取り外す。
【００３２】
前記実施例２の実施形態の場合に袋３をゴミ容器１に装着するための前記実施例２の手順と別に以下の手順が可能である。
袋３の周縁部を箍７の外側に折り返して掛けた袋３をその周縁部と共にゴミ容器１の内部に入れつつ箍７を袋３と共にゴミ容器１の突縁２に載置した後に蓋４の裏側の突縁５の外周面を袋３の周縁部を折り返して掛けた箍７の内周面に合わせて袋３を蓋４の裏側の突縁５の外周面と箍７の内周面に嵌め込みつつゴミ容器１の上方から蓋４の裏面がゴミ容器１の周縁の上端に当るまで押し下げて袋３を箍７と蓋４の裏側の突縁５の外周面に箍締めすることによって、袋３と箍７をゴミ容器１と蓋４の内側に隠し、外部から隠蔽し、蓋４がゴミ容器１に装着されるので前記実施例２の手順のように袋３の周縁部をゴミ容器１の内部に入れるために、蓋４を袋３と箍７と共にゴミ容器１の上方に外してから再度装着することなく判り易い手順で袋３をゴミ容器１に開口保持して装着できる。
【実施例３】
【００３３】
本発明の実施例３の実施形態は実施例１に記載の実施形態に対して、ゴミ容器１の突縁２とリング８を備えない実施形態であり、実施例３の蓋４、袋３、箍７とゴミ容器１は図３の中に図示する順で組み合う。また図６は実施例３の実施形態を示す装着接続部分拡大断面図であり、図６が示すように、袋３と蓋４をゴミ容器１に装着した状態の場合に、ゴミ容器１の上部の壁の内周面と蓋４の裏側の突縁５の外周面と蓋４の裏面に囲まれる空間は箍７と袋３の周縁部の箍７に折り返して掛けた部分が収まる大きさである。
【００３４】
本発明の実施例３の袋３をゴミ容器１に装着する手順は、蓋４の裏側の突縁５の外周面を袋３の周縁部を折り返して掛けた箍７の内周面に合わせて、袋３を箍７で蓋４の裏側の突縁５の外周面に嵌め込みつつ箍７を蓋４の裏面に当るまで押し上げて、袋３を蓋４の裏側の突縁５の外周面に箍締めした後に、袋３を袋３の周縁部と共にゴミ容器１の内部に入れつつ蓋４をゴミ容器１に被せることによって、袋３を外部から隠蔽し、判り易い手順で袋３をゴミ容器１に開口保持できる。袋３を取り外す手順は実施例２と同様である。
【００３５】
前記実施例３の実施形態の場合に袋３をゴミ容器１に装着するための前記実施例３の手順と別の以下の手順が可能である。
袋３の周縁部を箍７の外側に折り返して掛けて平らな場所に置き、蓋４の裏側の突縁５の外周面を袋３の周縁部を折り返して掛けた箍７の内周面に合わせて袋３を蓋４の裏側の突縁５の外周面と箍７の内周面に嵌め込みつつ上方から蓋４を押し下げて袋３を蓋４の裏側の突縁５の外周面に箍締めした後に、袋３を袋３の周縁部と共にゴミ容器１の内部に入れつつ蓋４をゴミ容器１に被せることによって袋３を外部から隠蔽し、簡易な判り易い手順で袋３をゴミ容器１に開口保持して装着できる。
【実施例４】
【００３６】
本発明の実施例４の実施形態は実施例１に記載の実施形態に対して蓋４の裏側の突縁５の外側に配置される箍７の代りに蓋４の裏側の突縁５の内側に配置される枠９を備えており、リング８を備えてなく、蓋４の中央部にゴミ投入口６を有し、ゴミ容器１の上部の壁内周面に突縁２を有し、図７は各部品の斜視図であり、蓋４、袋３、枠９とゴミ容器１の各部品は図７の矢印が示す順に組み合わされ、図８は実施例４の実施形態を示す装着接続部分拡大断面図である。また、本発明によれば四角柱の形状のゴミ容器１と四角形の蓋４を組み合わせる場合があり、更にゴミ容器１の側面に透かし彫りを有する場合があり、意匠性に優れた袋使用専用のゴミ容器として衛生的に管理できる。
【００３７】
本発明の実施例４の実施形態では、袋３と蓋４をゴミ容器１に装着した状態の場合にゴミ容器１の上部の壁内周面と突縁２の上面から蓋４の裏面までの高さは蓋４の裏側の突縁５の高さが収まり略同一でありなおかつ枠９の高さが収まり略同一である。また、袋３を蓋４の裏側の突縁５で枠９の外周面に嵌め込み箍締めするためにゴミ容器１の突縁２の上面に枠９を載置する場合にゴミ容器１の上部の前後左右の壁内周面と枠９の外周面とのそれぞれの間隔が均等になるような位置に枠９を誘導して蓋４の裏側の突縁５を嵌め込み易くして袋３を箍締めし易くするためのガイドとしてゴミ容器１の突縁２の上面から突出するガイド１０を設けることがある。
【００３８】
袋３をゴミ容器１に装着する場合は、枠９をゴミ容器１の突縁２の上面に載置して、枠９の上面とゴミ容器１の上部の周縁に渡って袋３の周縁部をゴミ容器１の外側に向けて折り返して掛け、蓋４の裏側の突縁５の内周面を袋３の周縁部を折り返して掛けた枠９の外周面に合わせてゴミ容器１の上方から蓋４の裏面がゴミ容器１の周縁の上端に当るまで蓋４を押し下げて、袋３を蓋４の裏側の突縁５で枠９の外周面に嵌め込み箍締めして、突縁５に袋３を箍締めした状態の蓋４をゴミ容器１の上方に取り出した後に袋３を袋３の周縁部と共にゴミ容器１の内部に入れつつ蓋４をゴミ容器１に被せることで、袋３をゴミ容器１の内側に開口保持して装着することができる。また、蓋４の裏側の突縁５の内周側の下方端部と枠９の外周側の上方端部はお互いが嵌め込み易くなるように接触し合う角部を面取りすることがある。
【００３９】
袋３をゴミ容器１から取り外す場合は蓋４の裏側の突縁５で枠９の外周面に箍締めしてある袋３を付けたまま蓋４をゴミ容器１の上方に取り出し、ゴミ容器１の外部で蓋４の裏側の突縁５から枠９と共に袋３を取り外すことができる。
【符号の説明】
【００４０】
１  ゴミ容器                  ２  （ゴミ容器１の上部の壁内周面の）突縁
３  袋                        ４  蓋
５（蓋４の裏側の）突縁        ６  ゴミ投入口
７  箍                        ８  リング
９  枠                        １０  ガイド
【図１】
2014122116.tif 000003
【図２】
2014122116.tif 000004
【図３】
2014122116.tif 000005
【図４】
2014122116.tif 000006
【図５】
2014122116.tif 000007
【図６】
2014122116.tif 000008
【図７】
2014122116.tif 000009
【図８】
2014122116.tif 000010